(57)【要約】【課題】  本発明の課題は、携帯電話機筺体に感圧シートと薄膜積層型電池を収納し、個人認証機能を指紋検証によって行うと共に、長寿命で急速充電を許容することのできる次世代バッテリーと言える薄膜積層型電池を収納する携帯電話を提供することである。【解決手段】  携帯電話機筺体に感圧シートと薄膜積層型電池を収納し、センサー部表面に載置される感圧シートが複数の超極薄ＰＥＴフィルム等の積層体で形成された可撓性シートで構成され、携帯電話機筺体内に収納される薄膜積層型電池が生分解性プラスチックとナノカーボン素材の結合体からなる薄膜積層型電池で構成されたことを特徴とする感圧シートと薄膜積層型電池を収納する携帯電話機を提供する。【選択図】図１
2012227903.tif 000002
【特許請求の範囲】
【請求項１】
非接触ＩＣカード機能付き携帯電話機であって、電話機筺体に感圧シートと薄膜積層型電池を収納し、センサー部表面に載置される感圧シートが複数の超極薄ＰＥＴフィルム等の積層体で形成された可撓性シートであって、薄膜積層型電池が生分解性プラスチックとナノカーボン素材等の結合体フィルムからなる薄膜積層型電池で構成されたことを特徴とする感圧シートと薄膜積層型電池を収納する携帯電話機。
【請求項２】
可撓性シートを構成する積層体が、下層から順次に、超極薄ＰＥＴフィルム、両面粘着テープ、超極薄ＰＥＴフィルム、導電性物質の蒸着膜、微粘着ＰＥＴ表面保護テープによって構成されており、導電性物質の蒸着膜が金等の蒸着膜であることを特徴とする請求項１記載の感圧シートと薄膜積層型電池を収納する携帯電話機。
【請求項３】
電話機筺体内に収納される薄膜積層型電池の積層体が、生分解性プラスチックフィルムとＣｕ箔・ナノカーボン素材結合体フィルムとの積層体を正極電極とし、生分解性プラスチックフィルムとＡｌ箔・ナノカーボン素材結合体フィルムとの積層体を負極電極とし、更に該正極電極と負極電極とが絶縁プラスチックフィルムを介して積層された５層の積層体で構成されていることを特徴とする請求項１記載の感圧シートと薄膜積層型電池を収納する携帯電話機。
【発明の詳細な説明】
【技術分野】
【０００１】  本発明は非接触ＩＣカード機能付き携帯電話機であって、携帯電話機筺体に感圧シートと薄膜積層型電池を収納し、センサー部表面に載置される感圧シートが複数の超極薄ＰＥＴフィルム等の積層体で形成された可撓性シートで構成され、携帯電話機筺体内に収納される薄膜積層型電池が生分解性プラスチックとナノカーボン素材の結合体からなる薄膜積層型電池で構成されたことを特徴とする感圧シートと薄膜積層型電池を収納する携帯電話機である。
【背景技術】
【０００２】  本発明者は、先の特許出願において、押捺指紋パターンの面圧力伝達用可撓性シートを提案したが、それは指紋センサー部において、確実な押捺指紋パターンの面圧力を伝達できる可撓性シートを実現させるものであって、更にこの技術を携帯電話に搭載して確実な個人認証を行うと共に、長寿命で急速充電を許容することのできる次世代バッテリーと言える薄膜積層型電池を収納する携帯電話を提供するものである。【０００３】  これまでの生体認証に利用される生体情報で最も確実で究極的な認証手段はＤＮＡではあるが、指紋の認証は最も使用頻度が高く信頼性の高い認証方式であって、数多くの指紋センサー装置が提案されており、一例として下記の特許公報を挙げることができる。【０００４】  また、電池素子を有する薄手の電子チップカードが提案されている。
【先行技術文献】
【特許文献】
【０００５】
【特許文献１】  特開平５−６１９６６号公報
【特許文献２】  特許第４２６６３６３号公報
【特許文献３】  特開２００４−２３４６３８号公報
【発明の概要】
【発明が解決しようとする課題】
【０００６】  前記せる特開平５−６１９６６号公報は、複数個の圧電薄膜素子をマトリックス状に配置して、各圧電薄膜素子に加えられた圧力を電気出力信号に変換することにより、指の指紋情報を検出する指紋センサーであり、前記せる特許第４２６６３６３号公報は、指を押しつけたときの圧力の強弱から指紋の紋様を検出させる指紋感知部と指紋の紋様の凹凸による圧力の違いを電位差として取出す検出回路からなる装置にタッチパネル機能を付随した感圧式指紋センサーであるが、いずれも指紋センサー部に載置して確実な押捺指紋パターンの面圧力を伝達できる可撓性シートを特別に設けるものではなかった。【０００７】  また、市販の指紋センサーを使用しても乾燥指や濡れ指の場合の指紋パターンの正確度に問題があり、耐水性や外部光源の影響もあり、指接触部の耐摩耗性や変形にも問題があったので、これらの問題を解決する必要があった。【０００８】  更に上記の問題点を解決する技術を携帯電話に搭載して確実な個人認証を行うと共に、長寿命で急速充電を許容することのできる次世代バッテリーと言える薄膜積層型電池を収納する携帯電話を提供するものである。【０００９】  個人認証のために携帯電話機に搭載される可撓性シートによって指紋の凹凸を正確に検出するには可撓性シートをできる限り超極薄にし、しかも確実な可撓性としなければならならず、検出対象となる乾燥指、濡れ指、傷指、汚れ指、静電気帯電指の場合でも十分に対応でき、指紋パターンを正確に検出することができるものでなければならない。【００１０】  更に、前記せる特開２００４−２３４６３８号公報は、ＩＣチップおよびエネルギー蓄積器としての電池素子を有する薄手の電子チップカードであるが、この電池素子が少なくとも１個のリチウム挿入電極を有するものであって、本発明の形態電話機に搭載した薄膜積層型電池に比して放電回数が不足するものであった。
【課題を解決するための手段】
【００１１】  本発明は前記せる課題を以下の構成によって解決するものである。
すなわち、非接触ＩＣ機能付き携帯電話機であって、電話機筺体に感圧シートと薄膜積層型電池を収納し、センサー部表面に載置される感圧シートが複数の超極薄ＰＥＴフィルム等の積層体で形成された可撓性シートであって、薄膜積層型電池が生分解性プラスチックとナノカーボン素材等の結合体フィルムからなる薄膜積層型電池で構成されたことを特徴とし、可撓性シートを構成する積層体が、下層から順次に、超極薄ＰＥＴフィルム、両面粘着テープ、超極薄ＰＥＴフィルム、導電性物質の蒸着膜、微粘着ＰＥＴ表面保護テープによって構成されており、導電性物質の蒸着膜が金等の蒸着膜であることを特徴とし、且つ、電話機筺体内に収納される薄膜積層型電池の積層体が、生分解性プラスチックフィルムとＣｕ箔・ナノカーボン素材結合体フィルムとの積層体を正極電極とし、生分解性プラスチックフィルムとＡｌ箔・ナノカーボン素材結合体フィルムとの積層体を負極電極とし、更に該正極電極と負極電極とが絶縁プラスチックフィルムを介して積層された５層の積層体で構成されていることを特徴とする感圧シートと薄膜積層型電池を収納する携帯電話機を提供する。
【発明の効果】
【００１２】  以上説明したように本発明の感圧シートと薄膜積層型電池を収納する携帯電話機は、押捺指紋パターンの面圧力伝達用可撓性シートによって、乾燥指、濡れ指、傷指、汚れ指、静電気帯電指の場合でも対応できるので、指紋パターンによる個人認証を正確に実施できると共に、長寿命で急速充電を許容することのできる次世代バッテリーと言える薄膜積層型電池を収納しているので、従来使用されているリチウムイオン電池に置き換えれば、充電時間の短縮となり、充放電の効率が高くロスが少ないばかりか、自己放電も少なく、バッテリーの劣化が少なく長寿命なのでバッテリー交換も不要になる。また、発熱発火の危険性が少なく安全であり、生分解性プラスチックを使用しているので、廃棄時に環境にやさしい効果がある。【００１３】  更に、長寿命で急速充電を許容することのできる次世代バッテリーと言える薄膜積層型電池を収納したことで、図６に示すような実施例の携帯電話の場合においても、ソーラーパネルによる充電が可能となる。
【図面の簡単な説明】
【００１４】
【図１】  携帯電話機の部分平面図である。
【図２】  図１のＡ−Ａ線の略示断面図である。
【図３】  可撓性シートの分解斜視図である。
【図４】  図１のＢ−Ｂ線の略示断面図である。
【図５】  薄膜積層型電池の分解斜視図である。
【図６】  携帯電話機の他の実施例斜視図である。
【発明を実施するための形態】
【００１５】  本発明は非接触ＩＣ機能付き携帯電話機であって、図１に示すように、電話機筺体１に感圧シート２と薄膜積層型電池３を収納しており、ＩＣカード機能部５１上の第１アンテナ４１を介し、また、携帯端末用チップ５２上の第２アンテナを介して外部機器との通信を行っている。
【００１６】  図２乃至図３に示すように、センサー部１０の表面に載置される可撓性シート２は複数の超極薄積層体で形成されており、下層から順次に、超極薄ＰＥＴフィルム２１、両面粘着テープ２２、超極薄ＰＥＴフィルム２３、導電性物質の蒸着膜２４、微粘着ＰＥＴ表面保護テープ２５によって構成されている。なお、導電性物質の蒸着膜２４が金等の蒸着膜であることが望ましい。
【００１７】  薄膜積層型電池３が生分解性プラスチックとナノカーボン素材等の結合体フィルムからなる薄膜積層型電池であり、具体的には図４乃至図５に示すように、携帯電話機筺体１内に収納される薄膜積層型電池３は、生分解性プラスチックフィルム３１とＣｕ箔・ナノカーボン素材結合体フィルム３２との積層体を正極電極とし、生分解性プラスチックフィルム３１とＡｌ箔・ナノカーボン素材結合体フィルム３２との積層体を負極電極とし、更に該正極電極と負極電極とが絶縁プラスチックフィルム３３を介して積層された５層の積層体で構成されている。
【００１８】  また、図６に示すようなソーラーパネル１２を備えた携帯電話機では、該薄膜積層型電池３にソーラーパネル１２を介して充電することが可能になっている。
【産業上の利用可能性】
【００１９】  生体認証には多くの生体情報を利用した認証装置が使用されつつあり、指紋認証も多く利用されているが、残留指紋をゼラチンに移し取って人工指を作り人工指で認証を通過させるような事件もおきているので、より正確な押捺指紋パターンをセンサー部に伝達することが必要であり、本発明の携帯電話機に押捺指紋パターンの面圧力伝達用可撓性シートを搭載して解決している。【００２０】  更に長寿命で急速充電を許容することのできる次世代バッテリーと言える薄膜積層型電池を収納しているので、従来使用されているリチウムイオン電池に代わって大きな市場性を有するものである。
【符号の説明】
【００２１】  １  電話機筺体
１０  センサー部
２  可撓性シート
２１  超極薄ＰＥＴフィルム
２２  両面粘着テープ
２３  超極薄ＰＥＴフィルム
２４  導電性物質の蒸着膜
２５  微粘着ＰＥＴ表面保護テープ
３  薄膜積層型電池
３１  生分解性プラスチックフィルム
３２  Ｃｕ箔・ナノカーボン素材結合体フィルム
３３  絶縁プラスチックフィルム
３４  Ａｌ箔・ナノカーボン素材結合体フィルム
３５  生分解性プラスチックフィルム
４１  第１アンテナ
４２  第２アンテナ
５１  ＩＣカード機能部
５２  携帯端末用チップ
６  指
６１  指紋
１２  ソーラーパネル
１３  日付等基本表示部
【図１】
2012227903.tif 000003
【図２】
2012227903.tif 000004
【図３】
2012227903.tif 000005
【図４】
2012227903.tif 000006
【図５】
2012227903.tif 000007
【図６】
2012227903.tif 000008